(57)【特許請求の範囲】
【請求項１】
成形材料が充填される成形空間を形成する成形壁部を備え、該成形壁部には、成形壁部を貫通して前記成形空間に連通する開口部が形成され、該開口部は、前記成形空間で成形される成形品の離型方向に対して交差する方向に開口する凹状部が形成された嵌挿部材を嵌挿可能に構成されている成形金型において、
前記成形壁部は、離型方向に対して傾斜するように形成された傾斜壁部を備え、前記開口部は、離型方向に沿って傾斜壁部を貫通するように形成されており、前記凹状部の少なくとも一部が傾斜壁部よりも成形空間側に位置するように前記嵌挿部材が開口部に嵌挿された状態で、成形空間側に位置する凹状部を閉塞する閉塞部が開口部の貫通方向に沿って傾斜壁部から突出するように形成されていることを特徴とする成形金型。
【請求項２】
成形材料が充填される成形空間を形成する成形壁部を備え、該成形壁部には、成形壁部を貫通して前記成形空間に連通する開口部が形成され、該開口部は、前記成形空間で成形される成形品の離型方向に対して交差する方向に突出する突出部を備える嵌挿部材を嵌挿可能に構成されている成形金型において、
前記成形壁部は、離型方向に対して傾斜するように形成された傾斜壁部を備え、前記開口部は、離型方向に沿って傾斜壁部を貫通するように形成されており、前記突出部が前記傾斜壁部よりも成形空間側に位置するように前記嵌挿部材が開口部に嵌挿された状態で、突出部と傾斜壁部との間に形成される隙間を閉塞する閉塞部が開口部の貫通方向に沿って傾斜壁部から突出するように形成されていることを特徴とする成形金型。
【請求項３】
前記閉塞部は、開口部の周縁に沿って一体的に形成されていることを特徴とする請求項１又は２に記載の成形金型。
【請求項４】
開口部に嵌挿部材が嵌挿された状態において、前記閉塞部は、嵌挿部材に沿って突出するように形成され、閉塞部の先端部と嵌挿部材の先端部とが、閉塞部の突出方向に対して直交する同一平面上に位置していることを特徴とする請求項１乃至３の何れか１項に記載の成形金型。
【請求項５】
前記閉塞部と傾斜壁部との間には、フィレット部が形成されていることを特徴とする請求項１乃至４の何れか１項に記載の成形金型。
【発明の詳細な説明】
【技術分野】
【０００１】
本発明は、成形空間内に充填された成形材料を成形する成形金型及び該成形金型を用いて成形される樹脂成形品に関する。
【背景技術】
【０００２】
従来、成形金型内に形成された成形空間に、成形材料を充填して型内成形することで、成形空間の形状に対応した形状の成形品が製造されている。例えば、凸型と凹型との間に形成される成形空間に、流動性を有する樹脂材料や予備発泡させた発泡性樹脂粒子（予備発泡樹脂粒子）などの樹脂材料を充填し、所定の条件で型内成形を行なうことで樹脂成形品の製造が行なわれている。
【０００３】
上記のような成形金型は、成形空間を形成する成形壁部を備えており、該成形壁部には、成形壁部を貫通して成形空間に連通する開口部が形成されている。該開口部は、成形空間に成形材料（原料）を供給する材料供給管や凹型内から成形品を押し出す押出手段などの嵌挿部材を嵌挿可能に構成されている。そして、開口部に嵌挿部材が嵌挿されることで、開口部が閉塞され、成形空間に充填された成形材料が開口部から外部へ漏れ出さないように構成されている。
【０００４】
ところが、成形品の形状（即ち、成形空間の形状）によっては、嵌挿部材が開口部に嵌挿された状態であっても、開口部と成形空間が連なった状態となる場合がある。このような状態で成形空間に成形材料が充填されると、開口部の内側に成形材料が入り込み、成形品の表面に突起部が形成されてしまう場合がある。このような突起部が形成されると、成形品の表面に表皮材などの積層材を積層させる際に、成形品と積層材とを隙間無く積層させることが困難となったり、積層後に突起部の近傍で成形品から積層材が剥がれてしまったりする虞がある。
【０００５】
このため、成形材料が開口部に入り込むのを防止すべく、開口部を閉塞した状態の嵌挿部材の先端部を成形壁部よりも成形空間側に突出させ、開口部に成形材料が入り込むのを防止する方法が知られている（特許文献１参照）。
【先行技術文献】
【特許文献】
【０００６】
【特許文献１】特開昭５９−１５５０１７号公報
【発明の概要】
【発明が解決しようとする課題】
【０００７】
しかしながら、図５（ａ）に示すように、開口部５に嵌挿された嵌挿部材Ｂの先端部に、成形品Ｍの離型方向に対して交差する方向に開口する凹状部Ｂ１が形成されている場合、嵌挿部材Ｂの先端部を成形壁部４よりも成形空間側に突出させると、開口部５が形成された領域の成形品Ｍの形状によっては、成形空間内に凹状部Ｂ１が位置することとなり、成形空間に充填された成形材料Ｍが凹状部Ｂ１内に入り込んでしまう場合がある。
【０００８】
また、図５（ｂ）に示すように、嵌挿部材Ｂ’の先端部に、成形品Ｍの離型方向に対して交差する方向に突出する突出部Ｂ５が形成されている場合、嵌挿部材Ｂの先端部を成形壁部４よりも成形空間側に突出させると、開口部５が形成された領域の成形品Ｍの形状によっては、突出部Ｂ５と成形壁部４との間に隙間Ｂ１’が形成され、成形空間に充填された成形材料Ｍが隙間Ｂ１’内に入り込む場合がある。
【０００９】
このような状態で型内成形を行なうと、成形品Ｍを離型方向に移動させた際に、凹状部Ｂ１内や隙間Ｂ１’内で成形された部分がそこから抜けることが困難となるため、成形品Ｍを離型させる際に、成形品Ｍにおける斯かる部分が損傷してしまう虞がある。
【００１０】
これに対し、図６（ａ）や図６（ｂ）に示すように、凹状部Ｂ１や隙間Ｂ１’を開口部５の内側に位置させることで、凹状部Ｂ１内や隙間Ｂ１’内に成形材料Ｍが入り込むのを防止することができるが、成形空間の形状によっては、開口部５が成形空間と連なってしまう場合がある。このような場合、上述したように、開口部５内に成形材料Ｍが入り込み、成形品Ｍの表面に突起部Ｍ１が形成されてしまう。このため、突起部Ｍ１を除去して成形品の表面を平滑にするなどの作業が必要となる場合があり、生産効率を低下させる要因となる。
【００１１】
そこで、本発明は、前記凹状部や突出部が成形壁部よりも成形空間側に位置するように嵌挿部材が開口部に嵌挿された状態であっても、凹状部や、突出部の先端部と成形壁部との間の隙間に成形材料が入り込むのを防止することができ、成形品を離型させる際に、成形品が損傷してしまうのを防止することができる成形金型を提供することを課題とする。また、該成形金型によって成形された樹脂成形品を提供することを課題とする。
【課題を解決するための手段】
【００１２】
本発明にかかる成形金型は、成形材料が充填される成形空間を形成する成形壁部を備え、該成形壁部には、成形壁部を貫通して前記成形空間に連通する開口部が形成され、該開口部は、前記成形空間で成形される成形品の離型方向に対して交差する方向に開口する凹状部が形成された嵌挿部材を嵌挿可能に構成されている成形金型において、前記成形壁部は、離型方向に対して傾斜するように形成された傾斜壁部を備え、前記開口部は、離型方向に沿って傾斜壁部を貫通するように形成されており、前記凹状部の少なくとも一部が傾斜壁部よりも成形空間側に位置するように前記嵌挿部材が開口部に嵌挿された状態で、成形空間側に位置する凹状部を閉塞する閉塞部が開口部の貫通方向に沿って傾斜壁部から突出するように形成されていることを特徴とする。
【００１３】
また、本発明にかかる成形金型は、成形材料が充填される成形空間を形成する成形壁部を備え、該成形壁部には、成形壁部を貫通して前記成形空間に連通する開口部が形成され、該開口部は、前記成形空間で成形される成形品の離型方向に対して交差する方向に突出する突出部を備える嵌挿部材を嵌挿可能に構成されている成形金型において、前記成形壁部は、離型方向に対して傾斜するように形成された傾斜壁部を備え、前記開口部は、離型方向に沿って傾斜壁部を貫通するように形成されており、前記突出部が前記傾斜壁部よりも成形空間側に位置するように前記嵌挿部材が開口部に嵌挿された状態で、突出部と傾斜壁部との間に形成される隙間を閉塞する閉塞部が開口部の貫通方向に沿って傾斜壁部から突出するように形成されていることを特徴とする。
【００１４】
斯かる構成によれば、凹状部や、突出部と傾斜壁部との間の隙間が、前記閉塞部によって閉塞されるため、凹状部や前記隙間が成形空間と連なるのを防止することができる。このため、成形空間に成形材料が充填された際に、凹状部や前記隙間に成形材料が入り込むことがなく、凹状部内や隙間内で成形材料が成形されるのを防止することができる。これにより、凹状部や隙間によって成形品にアンダーカット部が形成されてしまうのを防止することができ、成形品を離型させる際に、成形品が損傷してしまうのを防止することができる。
【００１５】
また、本発明にかかる成形金型は、前記閉塞部が開口部の周縁に沿って一体的に形成されていることが好ましい。
【００１６】
斯かる構成によれば、閉塞部が開口部の周縁に沿って一体的に形成されていることで、閉塞部が開口部の周縁に沿って壁状となるため、凹状部や隙間を閉塞できる範囲を広くすることができ、例えば、凹状部が開口部の周方向に沿って複数形成されている場合や周方向に沿って溝状に形成されている場合であっても、確実に凹状部を閉塞することができる。
【００１７】
また、本発明にかかる成形金型は、開口部に嵌挿部材が嵌挿された状態において、前記閉塞部は、嵌挿部材に沿って突出するように形成されており、閉塞部の先端部と嵌挿部材の先端部とは、閉塞部の突出方向に対して直交する同一平面上に位置していることが好ましい。
【００１８】
斯かる構成によれば、開口部に嵌挿部材が嵌挿された状態において、前記閉塞部は、嵌挿部材に沿って突出するように形成されており、閉塞部の先端部と嵌挿部材の先端部とは、閉塞部の突出方向に対して直交する同一平面上に位置していることで、閉塞部の先端部と嵌挿部材の先端部との間に、閉塞部の突出方向に段差が形成されないため、角部の少ない成形品を得ることができる。前記角部は、成形品を離型させる際や流通過程で破損し易い部分である。このため、型内成形を行なう際に、閉塞部の先端部と嵌挿部材の先端部との間で角部が成形されるのを防止することで、成形品の破損を抑制することができる。
【００１９】
また、本発明にかかる成形金型は、前記閉塞部と傾斜壁部との間には、フィレット部が
形成されていることが好ましい。
【００２０】
斯かる構成によれば、前記閉塞部と傾斜壁部との間にフィレット部が形成されていることで、傾斜壁部と閉塞部との間の成形空間が尖状となるのを防止することができる。これにより、傾斜壁部と閉塞部との間で角部が成形されるのを防止することができ、成形品が破損し易くなるのを抑制することができる。
【００２１】
本発明にかかる樹脂成形品は、上記の何れか一つに記載の成形金型を用いて、発泡性樹脂粒子が成形されてなることを特徴とする。
【発明の効果】
【００２２】
以上のように、本発明によれば、前記凹状部や突出部が成形壁部よりも成形空間側に位置するように嵌挿部材が開口部に嵌挿された状態であっても、凹状部や、突出部の先端部と成形壁部との間の隙間に成形材料が入り込むのを防止することができ、成形品を離型させる際に、成形品が損傷してしまうのを防止することができる。
【図面の簡単な説明】
【００２３】
【図１】本実施形態の成形金型の断面図。
【図２】（ａ）は、本実施形態の成形壁部における開口部が形成された領域の拡大断面図と嵌挿部材の先端側を示した図であり、（ｂ）は、本実施形態の開口部に嵌挿部材が嵌挿された際の成形壁部における開口部が形成された領域の拡大断面図。
【図３】（ａ）は、本実施形態の成形壁部における開口部が形成された領域の拡大断面図と他の嵌挿部材の先端側を示した図であり、（ｂ）は、本実施形態の開口部に他の嵌挿部材が嵌挿された際の成形壁部における開口部が形成された領域の拡大断面図。
【図４】（ａ）は、他の実施形態の成形壁部における開口部が形成された領域の拡大断面図であり、（ｂ）は、さらに他の実施形態の成形壁部における開口部が形成された領域の拡大断面図。
【図５】従来の成形金型の成形壁部における開口部が形成された領域の拡大断面図。
【図６】従来の成形金型の成形壁部における開口部が形成された領域の拡大断面図。
【発明を実施するための形態】
【００２４】
以下、本発明の一実施形態について図１及び２を参照しながら説明する。
【００２５】
本実施形態にかかる成形金型１は、図１に示すように、内部に形成される成形空間Ａに成形材料を充填して型内成形を行なうように構成されている。本実施形態では、成形金型１は、凸型２及び凹型３から構成され、凸型２と凹型３とが組み合わされた状態（以下、型閉状態と記す）で、該凸型２と凹型３との間に前記成形空間Ａが形成されるように構成されている。また、成形金型１は、凸型２及び凹型３が対峙するように配置され、対峙する方向に沿って凸型２及び凹型３が接離可能となるように構成されている。
【００２６】
成形空間Ａに充填される成形材料としては、特に限定されるものではないが、型内成形された際に、成形空間Ａの形状に沿って成形されるような素材からなるものを用いることができる。例えば、複数の発泡性樹脂粒子を予備発泡させたもの（予備発泡樹脂粒子）が用いられる。該予備発泡樹脂粒子は、成形空間Ａに複数充填されて高温の水蒸気と接触することで、膨張すると共に表面が溶融軟化し、予備発泡樹脂粒子同士が連結して成形品を形成するように構成されている。
【００２７】
予備発泡樹脂粒子としては、熱可塑性樹脂粒子に発泡剤を含浸させて発泡性の熱可塑性樹脂粒子（発泡性樹脂粒子）とし、該発泡性樹脂粒子を水蒸気等で加熱して予備発泡させたものを用いることができる。熱可塑性樹脂粒子としては、ポリスチレン系樹脂、ポリオレフィン系樹脂（例えば、ポリプロピレン系樹脂、ポリエチレン系樹脂等）、又は、これらを含む複合樹脂からなるものが挙げられる。更に、ポリエステル系樹脂（例えば、ポリエチレンテレフタレート、ポリブチレンテレフタレート、ポリエチレンナフタレート等）、ポリカーボネート系樹脂、ポリ乳酸系樹脂などからなるものであってもよい。特に、ポリスチレン系樹脂とポリオレフィン系樹脂とを含む複合樹脂からなるものを用いることが好ましい。
【００２８】
また、前記予備発泡樹脂粒子以外には、熱可塑性樹脂を加熱して流動性を持たせたものや、ポリウレタン樹脂を合成する際の液体状の原料などを用いることができる。
【００２９】
前記成形金型１は、成形空間Ａを形成する成形壁部４を備えている。該成形壁部４は、凸型２に形成された凸型成形壁部２ａと凹型３に形成された凹型成形壁部３ａとから構成されている。前記凸型成形壁部２ａは、凹状に形成された凹型成形壁部３ａの開口部を、型閉状態において、閉塞するように構成されている。一方、凹型成形壁部３ａは、型閉状態において、凸型成形壁部２ａと間隔を空けて対向するように形成された対向壁部３ｂと、該対向壁部３ｂの外周部の全域から凸型２側に向かって形成された側壁部３ｃとから構成され、側壁部３ｃの先端部（凸型２側の端部）に凹型成形壁部３ａの開口部が形成されている。そして、凸型成形壁部２ａが凹型成形壁部３ａの開口部を閉塞することによって、凸型成形壁部２ａと凹型成形壁部３ａとに囲まれた空間が形成され、該空間が成形空間Ａとなる。
【００３０】
また、前記成形空間Ａで成形された成形品は、凹型成形壁部３ａの開口方向に向かって凹型成形壁部３ａから離型される。なお、以下の説明において、成形品を離型させる方向を離型方向と記す。
【００３１】
前記成形壁部４には、成形壁部４を貫通して成形空間Ａに連通する開口部５が形成されている。該開口部５は、その貫通方向が成形壁部４に対して傾斜するように（直角とならないように）形成されている。また、開口部５が成形壁部４を貫通する方向（以下、貫通方向と記す）は、前記離型方向に沿うように形成されている。
【００３２】
即ち、開口部５が形成されている成形壁部４は、成形品の離型方向に対して所定の角度で傾斜するように（直交しないように）形成されている。本実施形態では、開口部５は、凹型成形壁部３ａ（より詳しくは、対向壁部３ｂ）に形成されており、対向壁部３ｂが成形品の離型方向に対して傾斜するように形成されている（以下、対向壁部３ｂを傾斜壁部３ｂとも記載する）。
【００３３】
また、開口部５は、成形空間Ａに成形材料を供給する材料供給管や凹型３内から成形品を押し出す押出手段などの嵌挿部材Ｂを嵌挿可能に構成されている。また、開口部５は、嵌挿部材Ｂが嵌挿された状態で、成形壁部４（具体的には、傾斜壁部３ｂ）の成形空間Ａ側の開口面が嵌挿部材Ｂによって密閉されるように形成されている。また、開口部５は、嵌挿部材Ｂが嵌挿された状態、嵌挿部材Ｂの外周面に密着するように形成されている。
【００３４】
ここで、前記嵌挿部材Ｂについて説明する。本実施形態における成形金型１において使用される嵌挿部材Ｂは、図２に示すように、筒状の形状を有し、開口部５に嵌挿された状態で、成形空間Ａに予備発泡樹脂粒子を供給可能に構成された材料供給管である。
【００３５】
また、前記嵌挿部材Ｂは、開口部５に嵌挿された状態において、軸方向（長手方向）が開口部５の貫通方向に沿うように構成されている。また、嵌挿部材Ｂは、一端部（先端部）の少なくとも一部が成形壁部４よりも成形空間Ａ側に位置するように開口部５に嵌挿される。また、他端部には成形材料を供給する材料供給手段（図示せず）が連結されている。
【００３６】
また、嵌挿部材Ｂには、図２（ａ）に示すように、軸方向に対して交差する方向に向かって開口する凹状部Ｂ１が形成されている。該凹状部Ｂ１は、嵌挿部材Ｂが開口部５に嵌挿された状態で、成形品の離型方向に対して交差する方向（詳しくは、略直交する方向）に開口するように形成されている。また、凹状部Ｂ１は、嵌挿部材Ｂの先端部の周方向の全周に亘って一体的に（即ち、溝状に）形成されている。
【００３７】
前記嵌挿部材Ｂは、軸方向に対して略直交するように形成された先端面Ｂ２を備えている。即ち、先端面Ｂ２は、嵌挿部材Ｂが開口部５に嵌挿された状態で、離型方向に略直交するように形成されている。つまり、先端面Ｂ２と傾斜壁部３ｂとは、平行とならないように構成されている。また、先端面Ｂ２の略中央部には、成形材料が放出される材料放出口（図示せず）が形成され、該材料放出口は、成形空間に成形材料が充填された後、密閉されるように構成されている。
【００３８】
前記嵌挿部材Ｂは、筒状（円筒状）に形成された先端部Ｂ３及び本体部Ｂ４から構成されている。前記先端部Ｂ３は、本体部Ｂ４に対して着脱可能に構成されている。具体的には、前記先端部Ｂ３は、大径部及び小径部から構成され、大径部の端部に前記先端面Ｂ２が形成されると共に、小径部が本体部Ｂ４の内側に嵌め込み可能に構成されている。一方、本体部Ｂ４の外周径は、先端部Ｂ３の小径部よりも大きく形成されている。これにより、先端部Ｂ３の大径部と本体部Ｂ４との間に凹状部Ｂ１が溝状に形成される。なお、先端部Ｂ３は、成形空間Ａに充填された成形材料と接触した状態となるため、汚れやすくなっており、汚れた際には、新たな先端部Ｂ３と容易に交換できるように構成されている。
【００３９】
前記成形壁部４は、前記凹状部Ｂ１の少なくとも一部が成形壁部４よりも成形空間Ａ側に位置するように嵌挿部材Ｂが開口部５に嵌挿された状態で、成形壁部４（具体的には、傾斜壁部３ｂ）よりも成形空間Ａ側に位置する凹状部Ｂ１を閉塞するように形成された閉塞部４ａを備えている。
【００４０】
該閉塞部４ａは、成形壁部４における成形空間Ａ側の開口端部に形成されている。具体的には、閉塞部４ａは、傾斜壁部３ｂにおける成形空間Ａ側の開口端部から成形空間Ａの中心側に向かって突出するように形成されている。また、閉塞部４ａは、開口部５の貫通方向に沿って突出するように形成されている。また、閉塞部４ａは、開口部５に嵌挿された嵌挿部材Ｂに沿って突出するように形成されている。
【００４１】
また、閉塞部４ａは、開口部５の周縁に沿って（具体的には、周縁の略全域に亘って一体的に）形成されている。即ち、閉塞部４ａは、開口部５の周縁に沿って壁状に形成され、閉塞部４ａの先端部（突出する方向の端部）４ｂによって、閉塞部開口部４ｃが形成される。該閉塞部開口部４ｃは、開口部５の貫通方向に沿った軸線上に中心部が位置するように形成されている。また、閉塞部４ａの内面は、開口部５の貫通方向に沿って形成され、開口部５の内面と連続した面となるように構成されている。
【００４２】
また、前記先端部４ｂは、閉塞部４ａの突出方向（即ち、開口部５の貫通方向）に対して略直交する同一平面上に形成されている。つまり、先端部４ｂによって形成される閉塞部開口部４ｃの開口面は、前記開口部５の成形空間Ａ側の開口面に対して所定の角度で傾斜するように形成される。また、前記先端部４ｂは、開口部５に嵌挿された嵌挿部材Ｂの先端面Ｂ２との間に段差が形成されないように構成されている。言い換えれば、前記先端部４ｂ（閉塞部開口部４ｃの開口面）と嵌挿部材Ｂの先端面Ｂ２とは、同一平面上に位置するように（面一となるように）構成されている。
【００４３】
前記閉塞部４ａは、先端部４ｂと傾斜壁部３ｂとの間の突出方向に沿った長さ（突出量）ｈが傾斜壁部３ｂに沿って次第に短く（又は、長く）なるように形成されている。突出量ｈが最大となる位置の長さとしては、８〜１２ｍｍであることが好ましい。また、本実施形態では、閉塞部開口部４ｃの開口面と開口部５の開口面とが接するように構成されている。即ち、閉塞部開口部４ｃの開口面と開口部５の開口面とが接する位置では、突出量ｈがゼロになるように構成されている。
【００４４】
前記成形壁部４と閉塞部４ａとの間には、フィレット部４ｄが形成されている。該フィレット部４ｄは、成形壁部４と閉塞部４ａとの交わる部分が肉増しされるように形成されたものである。本実施形態では、フィレット部４ｄは、成形壁部４と閉塞部４ａの基端部とに沿って円弧状に肉増しされるように形成されている。フィレット部４ｄが形成されていない場合、成形空間Ａにおける成形壁部４と閉塞部４ａとの交わる領域は、尖状となるため、成形材料で満たされにくくなる。これに対し、フィレット部４ｄが形成されていることで、成形壁部４と閉塞部４ａとの交わる部分が尖状とならず、成形材料をフィレット部４ｄに沿って満たすことができる。また、フィレット部４ｄが形成されていることで、閉塞部４ａの基端部の強度を向上させることができる。
【００４５】
次に、開口部５に嵌挿部材Ｂが嵌挿された状態について説明する。図２（ｂ）に示すように、嵌挿部材Ｂは、開口部５の貫通方向に沿って開口部５に嵌挿される。また、嵌挿部材Ｂは、凹状部Ｂ１の少なくとも一部が成形壁部４（具体的には、傾斜壁部３ｂ）よりも成形空間Ａ側に位置するように開口部５に嵌挿される。
【００４６】
この状態において、嵌挿部材Ｂの先端部の一部は、成形壁部４から成形空間Ａ側に突出した状態となり、凹状部Ｂ１は、一部が傾斜壁部３ｂよりも成形空間Ａ側に位置すると共に、他の部分が開口部５の内側に位置している。
【００４７】
また、嵌挿部材Ｂは、嵌挿部材Ｂの先端部Ｂ３と閉塞部４ａの先端部４ｂとの間に段差が形成されないように開口部５に嵌挿される。具体的には、嵌挿部材Ｂの先端面Ｂ２と閉塞部開口部４ｃ開口面とが同一平面上に位置するように（面一となるように）、嵌挿部材Ｂが開口部５に嵌挿される。これにより、嵌挿部材Ｂにおける成形壁部４よりも成形空間Ａ側に位置する領域の全体が壁状に形成された閉塞部４ａの内側に位置することとなる。
【００４８】
つまり、凹状部Ｂ１における成形壁部４よりも成形空間Ａ側に位置する部分は、前記閉塞部４ａの内側に位置することとなり、閉塞部４ａによって閉塞された状態となる。また、他の部分の凹状部Ｂ１は、開口部５の内側に位置し、開口部５によって閉塞された状態となる。これにより、凹状部Ｂ１と成形空間Ａとが連なった状態となることがなく、成形空間Ａに充填された成形材料が凹状部Ｂ１に入り込むのを防止することができる。
【００４９】
以上のように、本発明にかかる成形金型によれば、前記凹状部が成形空間内に位置するように開口部に嵌挿部材が嵌挿された状態であっても、凹状部に成形材料が入り込むのを防止することができ、成形品を離型させる際に、成形品が損傷するのを防止することができる。
【００５０】
即ち、前記成形金型１において、嵌挿部材Ｂの凹状部Ｂ１の少なくとも一部が成形壁部４よりも成形空間Ａ側に位置するように嵌挿された場合であっても、閉塞部４ａによって凹状部Ｂ１が閉塞されるため、凹状部Ｂ１が成形空間Ａに対して閉じた状態となる。このため、成形空間Ａに成形材料が充填された際に、凹状部Ｂ１に成形材料が入り込むことがなく、凹状部Ｂ１内で成形材料が成形されるのを防止することができる。これにより、凹状部Ｂ１によって成形品にアンダーカット部が形成されてしまうのを防止することができ、成形品を離型させる際に、成形品が損傷してしまうのを防止することができる。
【００５１】
また、閉塞部４ａが開口部５の周縁に沿って一体的に形成されていることで、凹状部Ｂ１が開口部５の周縁に沿って壁状となるため、凹状部Ｂ１を閉塞できる範囲を広く確保することができ、嵌挿部材Ｂの周方向に沿って溝状に形成された凹状部Ｂ１であっても、確実に閉塞することができる。
【００５２】
また、開口部５に嵌挿部材Ｂが嵌挿された状態において、閉塞部４ａの先端部４ｂ（閉塞部開口部４ｃの開口面）と嵌挿部材Ｂの先端部（具体的には、先端面Ｂ２）とが閉塞部４ａの突出方向に対して直交する同一平面上に位置していることで、閉塞部４ａの先端部４ｂと嵌挿部材Ｂの先端部との間に段差が形成されないため、閉塞部４ａの近傍における成形材料の充填性が向上し、成形空間Ａに隙間無く成形材料を充填させることができる。また、角部の少ない成形品を得ることができるため、成形品が破損し易くなるのを抑制することができる。
【００５３】
また、前記閉塞部４ａと成形壁部４との間にフィレット部４ｄが形成されていることで、成形壁部４と閉塞部４ａとの間の成形空間Ａが尖状となるのを防止することができる。これにより、成形壁部４と閉塞部４ａとの間に隙間無く成形材料を充填することができ、成形材料の充填性を向上させることができる。また、角部の少ない成形品となるため、成形品が破損し易くなるのを抑制することができる。
【００５４】
なお、本発明に係る成形金型は、上記実施形態に限定されるものではなく、本発明の要旨を逸脱しない範囲で種々の変更が可能である。
【００５５】
例えば、上記実施形態の嵌挿部材Ｂに代えて、異なる形状の嵌挿部材Ｂ’が開口部５に嵌挿されてもよい。具体的には、図３に示すように、成形品の離型方向に対して交差する方向に突出する突出部Ｂ５を備える嵌挿部材Ｂ’を用いてもよい。より詳しくは、嵌挿部材Ｂ’は、開口部５の貫通方向に沿うように形成された軸部Ｂ６と、該軸部Ｂ６から該軸部Ｂ６に対して交差する方向（具体的には、直交する方向）に突出する突出部Ｂ５とから構成されている。該突出部Ｂ５は、軸部Ｂ６の先端部に形成されており、軸部Ｂ６の外周の全域に亘って一体的に形成されている。即ち、嵌挿部材Ｂ’は、断面形状がＴ字状となるように形成されている。
【００５６】
上記の様な嵌挿部材Ｂ’は、成形品を凹型３内から離型させる際に、成形品を凹型３内から押し出す押出手段として作用するように構成されている。具体的には、前記嵌挿部材Ｂ’は、開口部５に嵌挿された状態で、凸型２と凹型３とが離間する方向に相対移動した際に、凹型成形壁部３ａの内側に延出するように構成され、前記軸部Ｂ６の先端部と突出部Ｂ５とが成形品に当接して凹型成形壁部３ａの内側から成形品を押し出すように構成されている。
【００５７】
前記嵌挿部材Ｂ’は、突出部Ｂ５が成形壁部４よりも成形空間Ａ側に位置するように開口部５に嵌挿される。この際、前記突出部Ｂ５は、閉塞部４ａの内側に位置することとなる。これにより、突出部Ｂ５と成形壁部４との間に生じる隙間が閉塞部４ａによって閉塞された状態となり、突出部Ｂ５と成形壁部４との間に成形材料が入り込むのを防止することができる。このため、突出部Ｂ５によって成形品にアンダーカット部が形成されることがなく、成形品を離型する際に成形品が破損してしまうのを防止することができる。
【００５８】
なお、上記嵌挿部材Ｂ’の形状として、前記突出部Ｂ５が嵌挿部材Ｂ’の先端部から長手方向に沿って縮径するように（逆テーパー状）に形成されて断面が略Ｔ字状に形成されたものであってもよい。
【００５９】
また、上記実施形態では、閉塞部開口部４ｃの開口面と開口部５の開口面とが接するように構成されているが、これに限定されるものではなく、図４（ａ）に示すように、閉塞部開口部４ｃの開口面と開口部５の開口面とが離間した状態となるように形成されてもよい。この場合、開口部５の全周に沿って閉塞部４ａが形成され、開口部５の周囲が閉塞部４ａによって包囲される。このように構成されることで、凹状部Ｂ１の全体が成形壁部４より成形空間Ａ側に位置している場合であっても、凹状部Ｂ１の全体を閉塞部４ａで閉塞することができる。
【００６０】
また、上記実施形態では、開口部５の貫通方向が成形壁部４に対して傾斜するように構成されているが、これに限定されるものではなく、図４（ｂ）に示すように、開口部５の貫通方向が成形壁部４に対して直角を成すように構成されてもよい。この場合、前記凹状部Ｂ１は、全体が成形壁部４より成形空間Ａ側に位置することとなるため、開口部５の全周に沿って閉塞部４ａが形成されることが好ましい。これにより、凹状部Ｂ１の全体を閉塞部４ａによって閉塞することができる。
【００６１】
また、上記実施形態では、凹状部Ｂ１が嵌挿部材Ｂの周方向に沿って一体的に溝状に形成されているが、これに限定されるものではなく、凹状部が断続的に形成されてもよく、或いは、嵌挿部材Ｂの外面の一部が凹状に形成されたものであってもよい。
【００６２】
また、上記実施形態では、開口部５は、上下方向に沿って傾斜壁部３ｂを貫通するように形成されているが、これに限定されるものではなく、貫通方向が成形品の離型方向に沿った状態であれば、水平方向や他の方向に沿って形成されてもよい。
【符号の説明】
【００６３】
１…成形金型、２…凸型、２ａ…凸型成形壁部、３…凹型、３ａ…凹型成形壁部、３ｂ…対向壁部、傾斜壁部、３ｃ…側壁部、４…成形壁部、４ａ…閉塞部、４ｄ…フィレット部、５…開口部、Ａ…成形空間、Ｂ…嵌挿部材、Ｂ１…凹状部
【図１】
0005608378.tif 000002
【図２】
0005608378.tif 000003
【図３】
0005608378.tif 000004
【図４】
0005608378.tif 000005
【図５】
0005608378.tif 000006
【図６】
0005608378.tif 000007